(57)【要約】　　　（修正有）【課題】通電時施錠型の錠前において、施錠時に扉に大きな側圧が働らいている場合にも、通電遮断による解錠を容易にすること。【解決手段】揺動位置において扉体の端面から突出するラッチを解放するカマ６と、揺動位置において前記カマ６を解放する半月部材７と、揺動位置において上記半月部材７を解放する第１ロッキングプレート１５と、揺動する時、衝撃力を与えて該第１ロッキングプレート１５を揺動させる第２ロッキングプレート２１と、前記第２ロッキングプレート２１をその第２の揺動位置に拘束するとともに、第１の揺動位置において前記第２ロッキングプレート２１を解放する第３ロッキングプレート２４と、通電時に前記第３ロッキングプレート２４をその第１の揺動位置に拘束するとともに、通電遮断時に前記第３ロッキングプレート２４をその第２の揺動位置に拘束するソレノイド装置３０とを備えたことを特徴とする。【選択図】　　　　図１０
2004044160.tif 000002
【特許請求の範囲】
【請求項１】
構造物の開口部に配置された扉体が揺動して開閉自在に軸支され、前記扉体の端部に、手動操作により退入されるとともに該扉体の閉方向揺動の際に前記構造物の開口部における後記カマの側縁部に当接して弾性的に退入するラッチが設けられ、該ラッチに対向した前記構造物開口部に、該ラッチを係脱自在に係止しうるカマが揺動自在に設けられ、ソレノイド通電時に該カマの揺動が阻止され、ソレノイド通電遮断時に該カマの揺動阻止が解除される扉体施錠装置において、
前記カマの揺動を阻止するロッキング部材が前記構造物に揺動自在に軸支され、
該ロッキング部材の揺動側部に形成された切欠きに先端部が遊嵌される施解錠動作部材が前記構造物に揺動軸を介して揺動自在に軸支され、
前記構造物に設けられたソレノイドの可動片に係合される連動部材が、前記施解錠動作部材の揺動軸に揺動自在に軸支され、
前記ソレノイドの通電遮断状態において前記連動部材の揺動を前記施解錠動作部材に伝えて該施解錠動作部材を解錠方向へ揺動させる係脱手段が、該施解錠動作部材および連動部材に形成され、
前記カマ、ロッキング部材、施解錠動作部材および連動部材には、それぞれ施錠方向へ付勢する付勢手段が設けられ、
前記ロッキング部材には、前記ソレノイド通電時に、前記連動部材を介して施錠方向へ揺動された施解錠動作部材の先端により、前記ロッキング部材の解錠方向への揺動を阻止する、当接部が形成されるとともに、該ソレノイド通電解除時に、前記連動部材の解錠方向の揺動に連動して、前記ロッキング部材に前記カマの揺動阻止状態を解除する揺動力を付加する、被加撃部が形成されたことを特徴とする扉体施錠装置。
【請求項２】
前記構造物開口部には、前記カマの揺動阻止と揺動阻止解除を行なうカマ揺動阻止部材が設けられ、該カマ揺動阻止部材に前記ロッキング部材の先端が係脱自在に係合されることを特徴とする請求項１記載の扉体施錠装置。
【請求項３】
一縁部を軸支されて揺動する扉体の揺動側端面に向き合う構造物部材に揺動可能に軸支され、第１の揺動位置において前記扉体の前記端面から突出するラッチを拘束するとともに、第２の揺動位置において前記ラッチを解放するカマと、
中央部の横断面が半月形を呈する軸部と該軸部の一端から軸線と交わる方向に延びるレバー部とから成り、上記軸部が、半月形断面部の平面を前記カマの背面に当接させ、かつ該カマの回転軸線と平行な軸線のまわりに揺動可能に前記構造物部材に軸支されて、第１の揺動位置において前記カマを該カマの第１の揺動位置に拘束するとともに、第２の揺動位置において前記カマを解放する半月部材と、
前記半月部材の前記レバー部の揺動面内にある軸線のまわりに揺動可能に前記構造物部材に軸支され、第１の揺動位置において前記半月部材を該半月部材の第１の揺動位置に拘束するとともに、第２の揺動位置において上記半月部材を解放する第１ロッキングプレートと、
前記第１ロッキングプレートの軸線と平行な軸線のまわりに揺動可能に前記構造物部材に軸支され、第１の揺動位置において、前記第１ロッキングプレートを該第１ロッキングプレートの第１の揺動位置に拘束するとともに、第２の揺動位置において、前記第１ロッキングプレートを該第１ロッキングプレートの第２の揺動位置に拘束し、かつ第１の揺動位置から第２の揺動位置へ揺動する時、第１ロッキングプレートに衝撃力を与えて該第１ロッキングプレートを揺動させるようにした第２ロッキングプレートと、
前記第２ロッキングプレートと同一の軸線のまわりに揺動可能に前記構造物部材に軸支され、第２の揺動位置において、前記第２ロッキングプレートを該第２ロッキングプレートの第２の揺動位置に拘束するとともに、第１の揺動位置において前記第２ロッキングプレートを解放する第３ロッキングプレートと、
通電時に前記第３ロッキングプレートを該第３ロッキングプレートの第１の揺動位置に拘束するとともに、通電遮断時に前記第３ロッキングプレートを該第３ロッキングプレートの第２の揺動位置に拘束する手段とを備えたことを特徴とする扉体施錠装置。
【請求項４】
通電時に前記第３ロッキングプレートを該第３ロッキングプレートの第１の揺動位置に拘束するとともに、通電遮断時に前記第３ロッキングプレートを該第３ロッキングプレートの第２の揺動位置に拘束する手段がプランジャ型のソレノイド装置であることを特徴とする請求項３記載の扉体施錠装置。
【発明の詳細な説明】
【０００１】
【発明の属する技術分野】
本発明は扉体施錠装置、特に通電時に施錠され、通電遮断時に解錠される方式の扉体施錠装置に関する。
【０００２】
【従来の技術】
地震、水害、火災等の危急時には、構造物からの脱出あるいは構造物への突入を迅速に行なうため、通電を遮断することにより解錠する方式の電気錠が求められる。
【０００３】
図１１は従来の通電時施錠型扉体施錠装置と扉体との関係を示す水平断面図であって、図１１（ａ）は施錠状態、図１１（ｂ）は解錠状態をそれぞれ示す。
【０００４】
この図において、０１は構造物中の開口部（出入口）の片側に図示しない鉛直な蝶番に支持されて揺動する扉体、０３は構造物の一部材として上記扉体０１の揺動する端面０１ａの軌跡の外方に近接して立設された柱である。上記扉体０１は、図１１（ａ）に示される状態では閉じており、図１１（ｂ）のように時計方向に揺動することにより開くようになっている。扉体０１の閉じ方向（図１１で上方）では、鉛直方向に延びるストッパー０３ａが柱０３から突設されていて、扉体０１の揺動範囲を制限している。
【０００５】
扉体０１の開閉側端面０１ａにはラッチ０２が出没自在に設けられ、図示しないスプリングによって、端面０１ａから突出する方向に付勢されている。このラッチ０２は、扉体０１が開く側（図１１で下側）の面は、扉体０１の揺動軸を通る平面とほぼ一致しており、扉体０１が閉じる側（図１１で上側）の面は、該平面に対して傾斜している。
【０００６】
上記柱０３の上記ラッチ０２と向き合う箇所付近には、扉体施錠装置を収容して取付けるための空所０４が設けられる。
【０００７】
０６は上記空所０４内で鉛直な軸０６ａのまわりに揺動可能に、柱０３に軸支されたカマである。このカマ０６は、傾斜したＶ字形断面の溝０６ｂを有し、図１１（ａ）に示される第１の揺動位置に向くよう、図示しないスプリングによって、図の時計方向に付勢されている。そしてその第１の揺動位置では、扉体０１の端面０１ａから突出するラッチ０２を拘束することができる。また図１１（ｂ）に示される第２の揺動位置では、ラッチ０２の拘束が解かれ、扉体０１は自由に開閉できる。
【０００８】
次に０７は中央部の横断面が半円形（半月形）を呈する軸部０７ａとその軸部０７ａの一端から軸線に直交して延びるレバー部０７ｂとから成る半月部材である。上記軸部０７ａは、前記空所０４内で、半月形断面部０７ｃの平面を前記カマ０６の背面に当接させ、かつ鉛直軸のまわりに揺動可能に、前記柱０３に軸支されている。またこの半月部材０７は、図示されないスプリングによって、図の反時計方向に付勢されている。
【０００９】
上記半月部材０７はカマ０６の揺動を阻止する機能を有する。すなわち半月部材０７は、図１１（ａ）に示される第１の揺動位置において、カマ０６の背面に押し当てられた半月形断面部０７ｃによって、カマ０６をそのカマ０６の第１の揺動位置に拘束する。また図１１（ｂ）に示される半月部材０７の第２の揺動位置においては、カマ０６の拘束は解かれ、カマ０６はその第１の揺動位置から第２の揺動位置までの間を、スプリングの付勢力を受けつつも、自由に揺動することができる。
【００１０】
次に図１２は、前記カマ０６、半月部材０７の下方において、ソレノイド装置の可動鉄心の動きにより前記半月部材０７をその第１の揺動位置に拘束し、あるいは解放する機構を示す正面図であって、図１２（ａ）は施錠状態、図１２（ｂ）は解錠状態をそれぞれ示す。
【００１１】
前記半月部材０７は、台座０１０に形成された軸受部０１０ａに、軸部０７ａが軸支されている。０１５は、コ字形を呈し、結合ピン０１５ａにより一定間隔を保って結合された１対の第１ロッキングプレートであって、そのコの字の縦画中央付近に設けられた揺動軸０１６のまわりに揺動可能に、台座０１０に固着された１対の軸受板０１３により支持されている。また、コの字の上側の横画の先端部では、ローラ０１７が、１対の第１ロッキングプレート０１５の間に挟まれて、回転可能に支持されている。第１ロッキングプレート０１５はまた、図１２（ａ）に示される第１の揺動位置に向くよう、図示しないスプリングによって、図の時計方向に付勢されている。そして、図に示される第１ロッキングプレート０１５の第１の揺動位置では、ローラ０１７が前記半月部材０７のレバー部０７ｂに当接することによって、半月部材０７をその半月部材０７の第１の揺動位置に拘束する。すなわち第１ロッキングプレート０１５は、半月部材０７を介して前記カマ０６の揺動を阻止する。第１ロッキングプレート０１５が図１２（ｂ）に示される第２の揺動位置まで揺動すると、半月部材０７のその第１の揺動位置への拘束が解かれ、半月部材０７はその第２の揺動位置まで揺動することができる。
【００１２】
次に０２１は、揺動軸０２２のまわりに揺動可能に、前記軸受板１３に支持された第２ロッキングプレートであって、一側部に切溝０２１ａが設けられている。また上端にはローラ０２１ｂが取付けられている。第２ロッキングプレート０２１が図１２（ａ）に示される第１の揺動位置から図１２（ｂ）に示される第２の揺動位置まで揺動すると、第１ロッキングプレート０１５のコの字の下側の横画部が第２ロッキングプレート０２１のローラ０２１ｂにより押し上げられ、第１ロッキングプレート０１５も図１２（ｂ）図示の第２の揺動位置まで揺動する。なお、０２３はストッパーである。
【００１３】
０３０は台座０１０に取付けられたプランジャ型のソレノイド装置、０３６はそのソレノイド装置０３０の図示しない可動鉄心に固着されたロッドをそれぞれ示す。そしてそのロッド０３６に設けられた係合ピン０３８が前記第２ロッキングプレート０２１の切溝０２１ａに係合している。図示されない可動鉄心と、それに固着されたロッド０３６は、ソレノイド装置０３０に通電されると磁力により引き下げられ、通電が遮断されると図示しないスプリングの付勢力により押し上げられるようになっている。
【００１４】
ソレノイド装置０３０に通電中は、図示されない可動鉄心に固着されたロッド０３６が磁力により引き下げられるから、ロッド０３６に設けられた係合ピン０３８に切溝０２１ａが係合している第２ロッキングプレート０２１は図１２（ａ）に示される第１の揺動位置にあり、したがって第１ロッキングプレート０１５も図示しないスプリングの付勢力により図１２（ａ）図示の第１の揺動位置にある。この時第１ロッキングプレート０１５のローラ０１７は半月部材０７のレバー部０７ｂに当接して、半月部材０７をその第１の揺動位置に拘束する。その結果、図１１（ａ）に示されるようにカマ０６もその第１の揺動位置に拘束されて、扉体０１を開くことはできない。すなわち扉体施錠装置は施錠状態にある。
【００１５】
ソレノイド装置０３０の通電を遮断すると、ロッド０３６を引き下げていた磁力がなくなるから、図示されないスプリングの付勢力によりロッド０３６は押し上げられ、図１２（ｂ）に示されるように、第２ロッキングプレート０２１は係合ピン０３８、切溝０２１ａを介して、第２の揺動位置まで揺動する。そうすると、第１ロッキングプレート０１５はコの字の下側横画部を第２ロッキングプレート０２１のローラ０２１ｂにより押し上げられ、半月部材０７のレバー部０７ｂに当接していたローラ０１７が離れて上方へ外れる。その結果半月部材０７、したがってカマ０６も、第１の揺動位置への拘束から解放され、スプリングの付勢力を受けつつも、第１の揺動位置から第２の揺動位置までの間を自由に揺動できるようになる。
【００１６】
そこで、例えば人力によって扉を開こうとすれば、図１１（ｂ）に示されるように、カマ０６は図の反時計方向へ、半月部材０７は図の時計方向へ、それぞれスプリングの力に抗して揺動し、扉体０１が開かれる。すなわち扉体施錠装置は解錠状態になる。
【００１７】
なお扉体０１が開いてしまえば、カマ０６と半月部材０７はスプリングの付勢力によって、図１１（ａ）に示される第１の揺動位置に復帰する。そこで人力あるいはドアチェック装置等により扉体０１を閉じようとすれば、今度はカマ０６、半月部材０７は揺動せず、扉体０１の端面０１ａから突出しているラッチ０２が、スプリングの力に抗して引込みながら、カマ０６の縁を乗越えて溝０６ｂ内に入り、図１１（ａ）に示される状態に収まって、扉体０１は再び閉じられる。
【００１８】
【解決しようとする課題】
前記した従来の扉体施錠装置において、施錠状態の時に扉体０１を開こうとする方向に強い側圧Ｐが作用している場合には、その側圧Ｐはカマ０６、半月部材０７にも伝達されて、半月部材０７のレバー部０７ｂと第１ロッキングプレート０１５のローラ０１７との間の押圧力、したがって両者間の摩擦力が極めて大きくなる。そうすると、扉体施錠装置を解錠するためにソレノイド装置０３０への通電を遮断しても、ソレノイド装置０３０に設けられたスプリングの力では、半月部材０７のレバー部０７ｂからローラ０１７を離脱させることができなくて、解錠することができず、したがって扉が開かない恐れがあった。
【００１９】
【課題を解決するための手段および効果】
前記従来の課題を解決するために、請求項１記載の発明は、構造物の開口部に配置された扉体が揺動して開閉自在に軸支され、前記扉体の端部に、手動操作により退入されるとともに該扉体の閉方向揺動の際に前記構造物の開口部における後記カマの側縁部に当接して弾性的に退入するラッチが設けられ、該ラッチに対向した前記構造物開口部に、該ラッチを係脱自在に係止しうるカマが揺動自在に設けられ、ソレノイド通電時に該カマの揺動が阻止され、ソレノイド通電遮断時に該カマの揺動阻止が解除される扉体施錠装置において、前記カマの揺動を阻止するロッキング部材が前記構造物に揺動自在に軸支され、該ロッキング部材の揺動側部に形成された切欠きに先端部が遊嵌される施解錠動作部材が前記構造物に揺動軸を介して揺動自在に軸支され、前記構造物に設けられたソレノイドの可動片に係合される連動部材が、前記施解錠動作部材の揺動軸に揺動自在に軸支され、前記ソレノイドの通電遮断状態において前記連動部材の揺動を前記施解錠動作部材に伝えて該施解錠動作部材を解錠方向へ揺動させる係脱手段が、該施解錠動作部材および連動部材に形成され、前記カマ、ロッキング部材、施解錠動作部材および連動部材には、それぞれ施錠方向へ付勢する付勢手段が設けられ、前記ロッキング部材には、前記ソレノイド通電時に、前記連動部材を介して施錠方向へ揺動された施解錠動作部材の先端により、前記ロッキング部材の解錠方向への揺動を阻止する、当接部が形成されるとともに、該ソレノイド通電解除時に、前記連動部材の解錠方向の揺動に連動して、前記ロッキング部材に前記カマの揺動阻止状態を解除する揺動力を付加する、被加撃部が形成されたことを特徴とするものである。
【００２０】
請求項１記載の発明は上記のとおり構成され、ソレノイド通電解除時に、連動部材の解錠方向の揺動に連動して、ロッキング部材にカマの揺動阻止状態を解除する揺動力を付加する、被加撃部が形成されているので、施錠状態で扉体に強い側圧が作用している場合でも、これを解錠すべくソレノイド装置への通電を遮断した時、施解錠動作部材が急速に揺動して上記被加撃部に衝撃を与え、ロッキング部材にカマの揺動阻止状態を解除する揺動力を付加してカマを揺動させ、扉体施錠装置を解錠することができる。
【００２１】
また請求項２記載の発明は、前記請求項１記載の発明において、前記構造物開口部に、前記カマの揺動阻止と揺動阻止解除を行なうカマ揺動阻止部材が設けられ、該カマ揺動阻止部材に前記ロッキング部材の先端が係脱自在に係合されることを特徴とするものである。したがって請求項２記載の発明では、各部材の設計・配置に自由度があり、かつ組立てが容易である。
【００２２】
次に請求項３記載の発明は、一縁部を軸支されて揺動する扉体の揺動側端面に向き合う構造物部材に揺動可能に軸支され、第１の揺動位置において前記扉体の前記端面から突出するラッチを拘束するとともに、第２の揺動位置において前記ラッチを解放するカマと、中央部の横断面が半月形を呈する軸部と該軸部の一端から軸線と交わる方向に延びるレバー部とから成り、上記軸部が、半月形断面部の平面を前記カマの背面に当接させ、かつ該カマの回転軸線と平行な軸線のまわりに揺動可能に前記構造物部材に軸支されて、第１の揺動位置において前記カマを該カマの第１の揺動位置に拘束するとともに、第２の揺動位置において前記カマを解放する半月部材と、前記半月部材の前記レバー部の揺動面内にある軸線のまわりに揺動可能に前記構造物部材に軸支され、第１の揺動位置において前記半月部材を該半月部材の第１の揺動位置に拘束するとともに、第２の揺動位置において上記半月部材を解放する第１ロッキングプレートと、前記第１ロッキングプレートの軸線と平行な軸線のまわりに揺動可能に前記構造物部材に軸支され、第１の揺動位置において、前記第１ロッキングプレートを該第１ロッキングプレートの第１の揺動位置に拘束するとともに、第２の揺動位置において、前記第１ロッキングプレートを該第１ロッキングプレートの第２の揺動位置に拘束し、かつ第１の揺動位置から第２の揺動位置へ揺動する時、第１ロッキングプレートに衝撃力を与えて該第１ロッキングプレートを揺動させるようにした第２ロッキングプレートと、前記第２ロッキングプレートと同一の軸線のまわりに揺動可能に前記構造物部材に軸支され、第２の揺動位置において、前記第２ロッキングプレートを該第２ロッキングプレートの第２の揺動位置に拘束するとともに、第１の揺動位置において前記第２ロッキングプレートを解放する第３ロッキングプレートと、通電時に前記第３ロッキングプレートを該第３ロッキングプレートの第１の揺動位置に拘束するとともに、通電遮断時に前記第３ロッキングプレートを該第３ロッキングプレートの第２の揺動位置に拘束する手段とを備えたことを特徴とする扉体施錠装置である。
【００２３】
請求項３記載の発明は上記のとおり構成され、第２ロッキングプレートが第１の揺動位置から第２の揺動位置へ揺動する時、第１ロッキングプレートに衝撃力を与えて該第１ロッキングプレートを揺動させるようにしたので、施錠状態で扉体に強い側圧が作用している場合でも、これを解錠すべく通電を遮断すると、第２ロッキングプレートが第１の揺動位置から第２の揺動位置へ揺動する時、第１ロッキングプレートは衝撃力を与えられるから、半月部材との摩擦力に容易に打勝って第２の揺動位置へ揺動し、半月部材およびカマを第１の揺動位置から解放して、解錠することができる。
【００２４】
また請求項４記載の発明は、前記請求項３記載の発明において、通電時に前記第３ロッキングプレートを該第３ロッキングプレートの第１の揺動位置に拘束するとともに、通電遮断時に前記第３ロッキングプレートを該第３ロッキングプレートの第２の揺動位置に拘束する手段がプランジャ型のソレノイド装置であることを特徴とするものである。したがって請求項４記載の発明では、簡単な構成で第３ロッキングプレートを第１または第２の揺動位置に拘束し、扉体施錠装置の施解錠を行なうことができる。
【００２５】
【発明の実施の形態】
図１は本発明の一実施例における扉体と扉体施錠装置との関係を示す水平断面図であって、図１（ａ）は施錠状態、図１（ｂ）は解錠状態をそれぞれ示す。
【００２６】
この図において、１は構造物中の開口部（出入口）の片側に図示しない鉛直な蝶番に支持されて揺動する扉体、３は構造物の一部材として、上記扉体１の揺動する端面１ａの軌跡の外方に近接して立設された柱である。上記扉体１は、図１（ａ）に示される状態では閉じており、図１（ｂ）のように時計方向に揺動することにより開くようになっている。扉体１の閉じ方向（図１で上方）では、鉛直方向に延びるストッパー３ａが柱３から突設されていて、扉体１の揺動範囲を制限している。
【００２７】
扉体１の開閉側端面１ａにはラッチ２が出没自在に設けられ、図示しないスプリングによって、端面１ａから突出する方向に付勢されている。このラッチ２は、扉体１が開く側（図１で下側）の面は、扉体１の揺動軸を通る平面とほぼ一致しており、扉体１が閉じる側（図１で上側）の面は、該平面に対して傾斜している。
【００２８】
上記柱３の上記ラッチ２と向き合う箇所付近には、扉体施錠装置を収容して取付けるための空所４が設けられる。
【００２９】
６は上記空所４内で、鉛直な軸６ａのまわりに揺動可能に、柱３に軸支されたカマである。このカマ６は、傾斜したＶ字形断面の溝６ｂを有し、図１（ａ）に示される第１の揺動位置に向くよう、図示しないスプリングによって、図の時計方向に付勢されている。そしてその第１の揺動位置では、扉体１の端面１ａから突出するラッチ２を拘束することができる。また図１（ｂ）に示される第２の揺動位置では、ラッチ２の拘束が解かれ、扉体１は自由に開閉できる。
【００３０】
次に７は中央部の横断面が半円形（半月形）を呈する軸部７ａとその軸部７ａの一端に嵌合され軸線に直交して延びるレバー部７ｂとから成る半月部材である。上記軸部７ａは、前記空所４内で、半月形断面部７ｃの平面を前記カマ６の背面に当接させ、かつ鉛直軸のまわりに揺動可能に、前記柱３に軸支されている。またこの半月部材７は、図示されないスプリングによって、図の反時計方向に付勢されている。
【００３１】
上記半月部材７はカマ揺動阻止部材として機能する。すなわち半月部材７は、図１（ａ）に示される第１の揺動位置において、カマ６の背面に押し当てられた半月形断面部７ｃによって、カマ６をそのカマ６の第１の揺動位置に拘束する。また図１（ｂ）に示される半月部材７の第２の揺動位置においては、カマ６の拘束は解かれ、カマ６はその第１の揺動位置から第２の揺動位置までの間を、スプリングの付勢力を受けつつも、自由に揺動することができる。
【００３２】
次に図２は本実施例の扉体施錠装置全体を示す施錠状態の正面図、図３は図２の右側面図である。ここで「正面」とは、構造物中の出入口において扉体に向き合う方向（図１の下から上を見た方向）をいうこととする。両図とも、カバーを構成する壁のうち手前の一面を省略し、そのカバーで覆われた収納物が直接見えるように描かれている。また、図４は図３のＩＶ−ＩＶ矢視断面図、図５は図３のＶ−Ｖ矢視断面図、図６は図２のＶＩ−ＶＩ矢視断面図、図７は図２のＶＩＩ−ＶＩＩ矢視断面図、図８は図２、図３のＶＩＩＩ−ＶＩＩＩ矢視水平断面図、図９は図２、図３のＩＸ−ＩＸ矢視水平断面図である。
【００３３】
まず図２および図３において、本実施例の扉体施錠装置は台座１０の上に組上げられ、カバー１１で覆われる。そして全体が図１に示される柱３の空所４内に収容、固定され、台座１０の一面（図２で左の面）が扉体１の端面１ａに向き合う柱３の面を形成する。
【００３４】
前記カマ６および半月部材７は、この台座１０に形成された軸受部１０ａに軸支されている。また下の軸受部１０ａの下方では、台座１０に台板１２が取付けられ、プランジャ型ソレノイド装置３０の動きによって前記半月部材７をその第１の揺動位置に拘束し、あるいは解放する機構がこの台板１２に組付けられる。
【００３５】
まず図４、図６、図８および図９をも参照すると、１５は結合ピン１５ａにより一定間隔を保って結合された１対の第１ロッキングプレートであって、揺動軸１６のまわりに揺動可能に、台板１２に固着された１対の軸受板１３により支持されている。またそれら第１ロッキングプレート１５の右部の間には、ローラ１７が挟まれ、回転可能に支持されている。第１ロッキングプレート１５はまた、これらの図に示される第１の揺動位置に向くよう、図示しないスプリングによって、図２および図４の反時計方向に付勢されている。そして、図に示される第１ロッキングプレート１５の第１の揺動位置では、第１ロッキングプレート１５の右端の突起部１５ｂが前記半月部材７のレバー部７ｂに当接するので、第１ロッキングプレート１５はそれ以上反時計方向に揺動することはない。第１ロッキングプレート１５の第１の揺動位置ではまた、ローラ１７が上記レバー部７ｂに当接することによって、半月部材７をその半月部材７の第１の揺動位置に拘束する。すなわち、第１ロッキングプレート１５は、半月部材７を介して、前記カマ６の揺動を阻止する。なおこの第１ロッキングプレート１５には、下部にも後述する被加撃部としての突起部１５ｃが形成されている。
【００３６】
次に２１は、揺動軸２２のまわりに揺動可能に、前記軸受板１３に支持された施解錠動作部材としての第２ロッキングプレートであって、下端部にピン２１ａが取付けられている。またこの第２ロッキングプレート２１は、これらの図に示される第１の揺動位置に向くよう、図示しないスプリングによって、図２および図４の時計方向に付勢されている。そして図に示される第２ロッキングプレート２１の第１の揺動位置では、上記１対の軸受板１３の間に架け渡されたストッパー２３に第２ロッキングプレート２１の上端部２１ｂが当接するので、第２ロッキングプレート２１はそれ以上時計方向に揺動することはない。第２ロッキングプレート２１の第１の揺動位置ではまた、上端部２１ｂが第１ロッキングプレート１５の突起部１５ｂに当接することによって、第１ロッキングプレート１５をその第１ロッキングプレート１５の第１の揺動位置に拘束する。
【００３７】
次に図２、図３、図５、図６および図７を参照すると、２４は上記第２ロッキングプレート２１に近接して、第２ロッキングプレート２１と同じ揺動軸２２のまわりに揺動可能に上記軸受板１３に支持された、連動部材としての第３ロッキングプレートであって、図の左部に切溝２４ａが設けられている。そして、図に示される第１の揺動位置に向くよう、図示しないスプリングによって、図２および図５の時計方向に付勢されている。そして図に示される第１の揺動位置では、第３ロッキングプレート２４の上部が前記ストッパー２３に当接するので、第３ロッキングプレート２４はそれ以上時計方向に揺動することはない。この時、第３ロッキングプレート２４下部の突起２４ｂが前記第２ロッキングプレート２１のピン２１ａに当接している。
【００３８】
第３ロッキングプレート２４が図の反時計方向に揺動する時には、第３ロッキングプレート２４の突起２４ｂが第２ロッキングプレート２１のピン２１ａに当接して、第２ロッキングプレート２１をも反時計方向に揺動させるが、第３ロッキングプレート２４が図の時計方向に揺動する時には、ピン２１ａが突起２４ｂに当接したまま、第２ロッキングプレート２１が追従して同方向に揺動するとは限らない。すなわちピン２１ａと突起２４ｂとは、第２ロッキングプレート２１と第３ロッキングプレート２４との係脱手段を構成している。
【００３９】
図５の符号３０は台板１２に取付けられたプランジャ型のソレノイド装置を示し、符号３１はケース、３２はソレノイドコイル、３３は可動鉄心、３４はスプリングをそれぞれ示す。ソレノイドコイル３２に通電されると、可動鉄心３３は電磁力により図の上方へ押し上げられ、通電が断たれると可動鉄心３３は重力とスプリング３４の付勢力により下方へ移動する。図はソレノイドコイル３２に通電されて、可動鉄心３３が上方へ押し上げられている状態を示す。なお４０はソレノイドコイル３２に通電する電線を通すグロメットである。
【００４０】
上記可動鉄心３３の上端にはロッド３６が固着され、更にそのロッド３６の上端には、コ字断面金物３７を介して係合ピン３８が固着されている。そしてその係合ピン３８は、前記第３ロッキングプレート２４の切溝２４ａに係合している。
【００４１】
次に図１０は、前記のような本実施例の扉体施錠装置の作動順序を示す図である。左の列はカマ６と半月部材７を示す水平断面図である。右の列は前記図２の下半部に相当する正面図で、図面配置の都合上、図の左・右がそれぞれ実際の上・下を示している。
【００４２】
まず図１０（ａ）はソレノイド装置３０に通電中、すなわち施錠中の状態を示す。ソレノイド装置３０の可動鉄心３３は上方（図の左方）へ押し上げられていて、第３ロッキングプレート２４が第１の揺動位置にあるので、第２ロッキングプレート２１もスプリングの付勢力にって、ピン２１ａが第３ロッキングプレート２４の突起２４ｂに当接し上端部２１ｂがストッパー２３（図２、図４参照）に当接する第１の揺動位置まで、時計方向に廻り切っている。したがって第２ロッキングプレート２１の最上端は第１ロッキングプレート１５の突起部１５ｂに当接し、第１ロッキングプレート１５をその第１の揺動位置に拘束している。そうすると、第１ロッキングプレート１５のローラ１７が半月部材７のレバー部７ｂに当接して、半月部材７をその第１の揺動位置に拘束する。更に、カマ６の背面に押し当てられた半月部材７の半月形断面部７ｃによって、カマ６はその第１の揺動位置に拘束され、その結果、扉体１の端面１ａから突出するラッチ２（図１参照）は、カマ６の溝６ｂ内に拘束される。すなわち扉体１は開かない。
【００４３】
なお上記のような施錠状態においても、扉体１（図１参照）の一方の側（例えば室内側）からは、図示しないサムターン機構等を手動で操作することにより、扉体１のラッチ２をスプリングの力に抗して引込ませ、扉体１を開くことができる。また扉体１に別途取付けられた図示しない錠前に所定のキーを差込んで開錠し、ラッチ２を引込ませて扉体１を開くこともできる。そして、扉体１を再び閉じれば、扉体１の端面１ａから突出しているラッチ２は、閉じる側（図１で上側）の面が扉体１の揺動軸を通る平面に対して傾斜しているから、スプリングの力に抗して引込みながら、カマ６の側縁部を乗越えて溝６ｂ内に収まり、扉体１は閉止状態に戻る。
【００４４】
次に図１０（ｂ）は通電を打切った直後の状態を示すものである。通電が断たれると、ソレノイド装置３０の可動鉄心３３は重力とスプリング３４の付勢力により下方（図の右方）へ移動する。そうすると、可動鉄心３３にロッド３６、コ字断面金物３７を介して固着された係合ピン３８により、第３ロッキングプレート２４の切溝２４ａが引き下げられ、その結果、第３ロッキングプレート２４はスプリングの力に抗して図の反時計方向に揺動する。そして下端の突起２４ｂによりピン２１ａを介して第２ロッキングプレート２１をも反時計方向に揺動させる。そうすると、第１ロッキングプレート１５の突起部１５ｂに当接していた第２ロッキングプレート２１の上端部２１ｂは、急速に図の下方へと移動し、第１ロッキングプレート１５のもう一つの突起部１５ｃ（被加撃部）に衝突する。
【００４５】
その結果、図１０（ｃ）に示されるように、第１ロッキングプレート１５はスプリングの力に抗して図の時計方向に揺動し、ローラ１７が半月部材７のレバー部７ｂの揺動軌跡の下方（図の右方）へ回避され、半月部材７はその第１の揺動位置への拘束から解放される。この状態では、第１ロッキングプレート１５、第２ロッキングプレート２１、第３ロッキングプレート２４は、いずれも図１０（ｃ）図示の位置（これをそれぞれ第２の揺動位置とする。）に拘束されている。
【００４６】
前記図１０（ｃ）に示される状態においては、半月部材７はその第１の揺動位置に拘束されていないので、カマ６もその第１の揺動位置への拘束から解放されている。したがって、例えば人力によって扉を開こうとすれば、図１０（ｄ）あるいは前記図１（ｂ）に示されるように、カマ６は図の反時計方向へ、半月部材７は図の時計方向へ、それぞれスプリングの力に抗して揺動し、扉体１が開かれる。すなわち、図１０（ｃ）は解錠状態を、図１０（ｄ）および図１（ｂ）は解錠状態の時に実際に扉体１を開く過程を、それぞれ示す。
【００４７】
なお扉体１が開いてしまえば、カマ６および半月部材７は、スプリングの付勢力によって、図１（ａ）、図１０（ｃ）に示される第１の揺動位置に復帰する。そこで人力あるいはドアチェック装置等により扉体１を閉じようとすれば、今度はカマ６、半月部材７はいずれも揺動せず、扉体１の端面１ａから突出しているラッチ２が、スプリングの力に抗して引込みつつ、カマ６の縁を乗越えて溝６ｂ内に入り、図１（ａ）に示される状態に収まって、扉体１は再び閉じられる。
【００４８】
次に前記解錠状態の扉体施錠装置を施錠すべくソレノイド装置３０に通電すると、図１０（ｅ）に示されるように、ソレノイド装置３０の可動鉄心３３は、スプリング３４の力と重力に抗して上方（図の左方）へ押し上げられ、第３ロッキングプレート２４は図の時計方向に第１の揺動位置まで揺動して、第２ロッキングプレート２１の第２の揺動位置への拘束を解除する。しかしこの時、何らかの原因により扉体１が開き加減で、カマ６と半月部材７が第１の揺動位置から外れていた場合には、第１ロッキングプレート１５、したがって第２ロッキングプレート２１も第２の揺動位置から動けない。すなわち第３ロッキングプレート２４は第１の揺動位置、第２ロッキングプレート２１は第２の揺動位置にあって、第３ロッキングプレート２４の突起２４ｂと第２ロッキングプレート２１のピン２１ａとが互いに接触しない状態となる。（図１０（ｅ））
【００４９】
上記図１０（ｅ）に示された状態の時、例えば人力によって扉体１をきちんと閉じると、カマ６および半月部材７は、それぞれスプリングの付勢力によって第１の揺動位置に戻る。そうすると、第１ロッキングプレート１５および第２ロッキングプレート２１も、それぞれスプリングの付勢力によって第１の揺動位置に戻り、第２ロッキングプレート２１のピン２１ａが第３ロッキングプレート２４の突起２４ｂに接触する。こうして再び図１０（ａ）に示される施錠状態になる。
【００５０】
本実施例においても、施錠状態の時に扉体１を開こうとする方向に強い側圧Ｐが作用している場合には、その側圧Ｐはカマ６、半月部材７にも伝達されて（図１（ａ）、図１０（ａ）参照）、半月部材７のレバー部７ｂと第１ロッキングプレート１５のローラ１７との間に大きな摩擦力が作用する。しかしながら本実施例の扉体施錠装置では、解錠時にレバー部７ｂから第１ロッキングプレート１５を離脱させるに際して、第１ロッキングプレート１５を静的に押圧するのではなく、第１ロッキングプレート１５に設けられた第２の突起部１５ｃ（被加撃部）に第２ロッキングプレート２１の上端部２１ｂを衝突させて、そのハンマー作用により、第１ロッキングプレート１５を容易に図の時計方向に揺動させることができる（図１０（ｂ）、（ｃ）参照）。この場合、図１０（ａ）における第１ロッキングプレート１５の突起部１５ｂと第２ロッキングプレート２１の上端部２１ｂとの接触面には側圧は作用していないから、第２ロッキングプレート２１の上端部２１ｂは第１ロッキングプレート１５の突起部１５ｂから容易に離脱する。そして慣性力を与えられて、第１ロッキングプレート１５の第２の突起部１５ｃ（被加撃部）に衝突することになる。
【００５１】
また本実施例の扉体施錠装置においては、第１ロッキングプレート１５を半月部材７のレバー部７ｂから離脱させて第２の揺動位置まで揺動させる第２ロッキングプレート２１を、ソレノイド装置３０の可動鉄心３３にロッド３６、コ字断面金物３７を介して固着された係合ピン３８に、直接係合させるのではなく、その間に第３ロッキングプレート２４を介在させているので、解錠状態の扉体施錠装置を施錠するためにソレノイド装置３０に通電した時に、何らかの原因で扉体１が開き加減で、カマ６と半月部材７が第１の揺動位置から外れていた場合でも、図１０（ｅ）に示されるように、第１ロッキングプレート１５、第２ロッキングプレート２１を第２の揺動位置に留めたまま、通電位置にあるソレノイド装置３０の可動鉄心３３に連結された第３ロッキングプレート２４のみを第１の揺動位置へ揺動させることができる。そしてその後、例えば人力によって扉体１をきちんと閉じることにより、図１０（ａ）に示される施錠状態とすることができる。
【図面の簡単な説明】
【図１】図１は本発明の一実施例における扉体と扉体施錠装置との関係を示す水平断面図であって、（ａ）は施錠状態、（ｂ）は解錠状態をそれぞれ示す。
【図２】図２は本実施例の扉体施錠装置全体を示す施錠状態の正面図である。
【図３】図３は図２の右側面図である。
【図４】図４は図３のＩＶ−ＩＶ矢視断面図である。
【図５】図５は図３のＶ−Ｖ矢視断面図である。
【図６】図６は図２のＶＩ−ＶＩ矢視断面図である。
【図７】図７は図２のＶＩＩ−ＶＩＩ矢視断面図である。
【図８】図８は図２、図３のＶＩＩＩ−ＶＩＩＩ矢視水平断面図である。
【図９】図９は図２、図３のＩＸ−ＩＸ矢視水平断面図である。
【図１０】図１０は本実施例の扉体施錠装置の作動順序を示す図である。
【図１１】図１１は従来の通電時施錠型扉体施錠装置と扉体との関係を示す水平断面図であって、（ａ）は施錠状態、（ｂ）は解錠状態をそれぞれ示す。
【図１２】図１２は上記従来の扉体施錠装置においてソレノイド装置の作用により半月部材をその第１の揺動位置に拘束し、あるいは解放する機構を示す正面図であって、（ａ）は施錠状態、（ｂ）は解錠状態をそれぞれ示す。
【符号の説明】
１…扉体、１ａ…端面、２…ラッチ、３…柱、３ａ…ストッパー、４…空所、６…カマ、６ａ…軸、６ｂ…溝、７…半月部材、７ａ…軸部、７ｂ…レバー部、７ｃ…半月形断面部、１０…台座、１０ａ…軸受部、１１…カバー、１２…台板、１３…軸受板、１５…第１ロッキングプレート、１５ａ…結合ピン、１５ｂ，１５ｃ…突起部、１６…揺動軸、１７…ローラ、２１…第２ロッキングプレート、２１ａ…ピン、２１ｂ…上端部、２２…揺動軸、２３…ストッパー、２４…第３ロッキングプレート、２４ａ…切溝、２４ｂ…突起、３０…ソレノイド装置、３１…ケース、３２…ソレノイドコイル、３３…可動鉄心、３４…スプリング、３６…ロッド、３７…コ字断面金物、３８…係合ピン、４０…グロメット、Ｐ…側圧。
【図１】
2004044160.tif 000003
【図２】
2004044160.tif 000004
【図３】
2004044160.tif 000005
【図４】
2004044160.tif 000006
【図５】
2004044160.tif 000007
【図６】
2004044160.tif 000008
【図７】
2004044160.tif 000009
【図８】
2004044160.tif 000010
【図９】
2004044160.tif 000011
【図１０】
2004044160.tif 000012
【図１１】
2004044160.tif 000013
【図１２】
2004044160.tif 000014